(57)【要約】【課題】各分岐ブレーカを流れる電流の値を正確に知り得るとともに、電線の接続間違いを抑制でき、かつ、分岐ブレーカを交換する場合にその作業が容易な分電盤を提供する。【解決手段】ベース３に主幹ブレーカとブレーカ取付け板５を配設する。ブレーカ取付け板５上に、主幹ブレーカに電気的に接続される導電バー１６〜１８を固定するとともに、この導電バーに沿って並べられて導電バーに電気的に接続される複数の分岐ブレーカ２１を着脱可能に取付ける。各分岐ブレーカ２１は、負荷電線接続部が設けられた筐体２１ａ内に、変流器３１を内蔵しているとともに、この変流器３１に電気的に接続された端子板（信号出力端）３３を有している。変流器３１の出力電流を計測する電力計測器をベース３に配設する。各分岐ブレーカ２１の端子板３３と電力計測器とを電気的に接続する配線手段４１を、ブレーカ取付け板５の裏側にベース３の内面との間に形成された隙間Ｇに通して配線したことを特徴としている。【選択図】図４
2009207237.tif 000002
【特許請求の範囲】
【請求項１】
ベースと；
このベースに配設された主幹ブレーカと；
前記ベースの内面との間に隙間を設けて前記ベースに固定されたブレーカ取付け板と；
前記主幹ブレーカに電気的に接続されて前記ブレーカ取付け板上に固定された導電バーと；
筐体に変流器が内蔵されているとともにこの変流器に電気的に接続された信号出力端を有し、かつ、負荷電線接続部が設けられている複数の分岐ブレーカであって、前記導電バーに沿って並べられて前記ブレーカ取付け板上に着脱可能に取付けられ、この取付け状態で前記導電バーに電気的に接続される前記分岐ブレーカと；
前記ベースに配設されて前記変流器の出力電流を計測する電力計測器と；
前記ブレーカ取付け板の裏側に形成された前記隙間を通って配線され前記電力計測器と前記信号出力端とを電気的に接続した配線手段と；
を具備したことを特徴とする分電盤。
【請求項２】
前記隙間に連通する配線通し部を前記ブレーカ取付け板に設けるとともに、前記信号出力端を前記筐体の裏面部に設けて、前記分岐ブレーカが前記ブレーカ取付け板上に取付けられた状態で前記配線通し部に前記信号出力端が対向するようにし、この信号出力端に接続された前記配線手段を前記配線通し部に通して前記隙間に配線したことを特徴とする請求項１に記載の分電盤。
【請求項３】
前記信号出力端が前記筐体の裏面に露出する端子板からなり、前記配線手段が、前記配線通し部に通されるとともに前記ブレーカ取付け板に前記分岐ブレーカが取付けられた状態で前記端子板に弾性的に接触される接触部を備えていることを特徴とする請求項２に記載の分電盤。
【発明の詳細な説明】
【技術分野】
【０００１】
本発明は、住宅や店舗等で使用される分電盤に関する。
【背景技術】
【０００２】
従来、ベースの固定台に分岐ブレーカ取付板をねじ止めし、この取付板上に、主幹ブレーカ及びこれに電気的に接続された導電バーを取付けるとともに、導電バーに対して直角に配置されて導電バーに電気的に接続される複数の分岐ブレーカを着脱自在に列設した分電盤が知られている（例えば、特許文献１参照。）。
【０００３】
そして、一般的に分電盤は、単層三線式であって、主幹ブレーカに接続された導電バーと、これに接続された分岐ブレーカとの関係によって、分岐ブレーカは100Ｖ用又は200Ｖ用として選択的に使用され、選択された100Ｖ又は200Ｖの電力は、分岐ブレーカの負荷線接続部に接続された負荷電線により負荷機器に供給されるようになっている（例えば、特許文献２参照。）。
【特許文献１】特開2006-136069号公報（段落0016-0042、図１-図６）
【特許文献２】特開2006-253158号公報（段落0014-0018、0034-0037、0039、図１-図５）
【発明の開示】
【発明が解決しようとする課題】
【０００４】
特許文献１，２の分電盤は、それが備えた複数の分岐ブレーカにより、負荷機器に供給する電力を分電することができるが、分岐ブレーカを含んだ分岐回路の夫々に流れる電流値を知ることはできない。これは、特許文献１，２の分電盤には、一個一個の分岐ブレーカを流れて負荷機器に供給される負荷電流を測る機能がないことに起因している。
【０００５】
これに対処するためには、負荷電流を直接計測する電流計を各分岐ブレーカの夫々に組込めばよいが、負荷電流に対応した電流計は、価格が高いだけではなく、かなり大形であるので、これを内蔵する分岐ブレーカは大形にならざるを得ず、そのため、分電盤全体が大きくなる点で好ましくない。
【０００６】
ところで、負荷電流を直接計測するのではなく、大電流回路の電流を計器に必要な小電流に変換する変流器（Current Transformer：ＣＴと略称されている。）が知られており、これを分岐ブレーカに組み込めば、既述の大形化を、伴わないか又は抑制できる。又、前記ＣＴは電流の大きさを変換するだけであるため、変換された電流をモニターするためには、変換された小電流を電流値として計測する電力計測器が必要である。この電力計測器は、それに供給される小電流を電流値として計測するので、さほど大きくはなく、分電盤内に組み込み可能である。
【０００７】
しかし、このようにＣＴを内蔵した分岐ブレーカの他に電力計測器を備えた分電盤を構成する場合、以下の問題が考えられる。すなわち、各分岐ブレーカの夫々には二本の負荷電線が接続される。一方、各分岐ブレーカに内蔵されたＣＴには、その二次巻線の両端に出力電線(信号線)が夫々に接続されて、これら二本の出力電線は各分岐ブレーカが並んだ方向に配線されて電力計測器に接続される。
【０００８】
このような配線状態では分電盤内で多数の電線が直接重なって乱雑に配線されてしまう。したがって、分電盤内が見苦しいだけではなく、これらの電線の接続間違いを起こす可能性が高まるとともに、負荷電線を流れる大電流を原因として出力電線にノイズが重畳し適正に電流値を知ることができなくなる恐れがある。その上、並べられた複数の分岐ブレーカの中で故障した分岐ブレーカを交換する必要が生じた場合、各分岐ブレーカの上を横切って配線されている出力電線が邪魔になり易いので、分岐ブレーカを交換する際の手間が増えてしまう。
【０００９】
本発明の目的は、各分岐ブレーカを流れる電流の値を正確に知ることができるとともに、電線の接続間違いを抑制でき、かつ、分岐ブレーカを交換する場合にその作業が容易な分電盤を提供することにある。
【課題を解決するための手段】
【００１０】
請求項１の発明は、ベースと；このベースに配設された主幹ブレーカと；前記ベースの内面との間に隙間を設けて前記ベースに固定されたブレーカ取付け板と；前記主幹ブレーカに電気的に接続されて前記ブレーカ取付け板上に固定された導電バーと；筐体に変流器が内蔵されているとともにこの変流器に電気的に接続された信号出力端を有し、かつ、負荷電線接続部が設けられている複数の分岐ブレーカであって、前記導電バーに沿って並べられて前記ブレーカ取付け板上に着脱可能に取付けられ、この取付け状態で前記導電バーに電気的に接続される前記分岐ブレーカと；前記ベースに配設され前記変流器の出力電流を計測する電力計測器と；前記ブレーカ取付け板の裏側に形成された前記隙間を通って配線されて前記電力計測器と前記信号出力端とを電気的に接続した配線手段と；を具備したことを特徴としている。
【００１１】
この発明で、主幹ブレーカ及び電力計測器は、ベースに直接固定して配設されていても、或いはブレーカ取付け板上に固定することによって、この取付け板を介してベースに配設されていてもよい。この発明で、電力計測器は、それが計測した電流値を表示する電流値表示部の有無は問うものではないが、電力計測器が電流値表示部を有さない場合には、電力計測器で計測した計測値を有線又は無線により分電盤の外部に配設された表示器に送って表示させればよい。この発明で、配線手段は、実施の形態で説明するようにプリント配線基板を備えるものには限定されず、例えば、一端が分岐ブレーカの信号出力端に例えば差込むことにより接続された電線で形成することも可能である。又、この発明で、分岐ブレーカの筐体に対する信号出力端の位置は、実施の形態で説明するように筐体の裏面部に限定されず、負荷電線接続部とは異なる位置であれば、筐体の側面等任意の位置に設けることが可能である。
【００１２】
請求項１の発明では、各分岐ブレーカを経て負荷機器に供給される電流を小電流として分岐ブレーカ内の変流器で検知し、その検知電流の値を電力計測器で計測するので、各分岐ブレーカを流れる電流の値を知ることができる。
【００１３】
更に、請求項１の発明では、各分岐ブレーカの負荷電線接続部の夫々に接続される負荷電線と、各分岐ブレーカの信号出力端と電力計測器とを接続した配線手段を、ブレーカ取付け板の表側と裏側とに分けて配線できるので、これらが直接重なって乱雑に配線されることがない。
【００１４】
そのため、分電盤内が見苦しくならないだけではなく、これらの負荷電線と配線手段の接続間違いを起こす可能性が低くなるとともに、負荷電線を流れる大電流を原因として配線手段を通じて電力計測器に至る電流にノイズが重畳しないので、電力計測器で電流値を正確に計測できる。しかも、変流器に電気的に接続された配線手段が、並んで設けられている各分岐ブレーカの上を横切って配線されていないので、複数の分岐ブレーカの中で故障した分岐ブレーカを交換する必要が生じた場合、分岐ブレーカを交換する上で配線手段が邪魔になることがなく、分岐ブレーカの交換を容易にできる。
【００１５】
請求項２の発明は、請求項１の発明において、前記隙間に連通する配線通し部を前記ブレーカ取付け板に設けるとともに、前記信号出力端を前記筐体の裏面部に設けて、前記分岐ブレーカが前記ブレーカ取付け板上に取付けられた状態で前記配線通し部に前記信号出力端が対向するようにし、この信号出力端に接続された前記配線手段を前記配線通し部に通して前記隙間に配線したことを特徴としている。この発明で、配線通し部は、ブレーカ取付け板に開口した孔又はブレーカ取付け板の側縁に開放する溝等で形成することができる。
【００１６】
この請求項２の発明では、分岐ブレーカの真裏でブレーカ取付け板の配線通し部に配線手段を通して、この配線手段と、分岐ブレーカに内蔵された変流器に電気的に接続された信号出力端とを電気的に接続できるため、隣接する分岐ブレーカ間に配線手段が配置されるスペースを要することがなく、複数の分岐ブレーカをコンパクトに並べて配設できる。しかも、ブレーカ取付け板の周縁を回り込むように配線手段を引き回してブレーカ取付け板の裏側に配線することも要さないので、配線手段を容易に配線できる。
【００１７】
請求項３の発明は、請求項２において、前記信号出力端が前記筐体の裏面に露出する端子板からなり、前記配線手段が、前記配線通し部に通されるとともに前記ブレーカ取付け板に前記分岐ブレーカが取付けられた状態で前記端子板に弾性的に接触される接触部を備えていることを特徴としている。請求項３の発明で、「弾性的に接触される」とは、端子板又は接触部を弾性変形可能に構成し、分岐ブレーカが取付けられた状態で、端子板又は接触部が弾性変形し接触することを指している。
【００１８】
この請求項３の発明では、ブレーカ取付け板に着脱可能な分岐ブレーカを、ブレーカ取付け板に取付けるに伴い、その裏面の端子板に配線手段の接触部が弾性的に接触した状態となり、端子板と配線手段とを電気的に接続できる。この逆に、分岐ブレーカをブレーカ取付け板から外すに伴い、分岐ブレーカの端子板が配線手段の接触部から離れて、これらの電気的接続が断たれる。このように分岐ブレーカの端子板と配線手段との電気的接続及びその解除を、格別な手間を要しないで分岐ブレーカの着脱を伴ってできるので、分岐ブレーカの交換をより容易にできる。
【発明の効果】
【００１９】
請求項１の発明の分電盤によれば、各分岐ブレーカを流れる電流の値を正確に知ることができるとともに、電線の接続間違いを抑制でき、かつ、分岐ブレーカを交換する場合にその作業が容易である、という効果がある。
【００２０】
請求項２の発明によれば、請求項１の発明において、更に、複数の分岐ブレーカをコンパクトに並べて配設できるとともに、配線手段を容易に配線できる、という効果がある。
【００２１】
請求項３の発明によれば、請求項２の発明において、更に、分岐ブレーカの交換をより容易にできる、という効果がある。
【発明を実施するための最良の形態】
【００２２】
本発明の一実施形態に係る住宅用の分電盤を図１〜図５を参照して説明する。
【００２３】
図１中符号１は分電盤を示している。この分電盤１は、ベース３と、ブレーカ取付け板５と、主幹ブレーカ１１と、導電バー１６〜１８と、複数例えば１０個の分岐ブレーカ２１と、電力計測器３５と、配線手段４１とを具備している。
【００２４】
ベース３は、合成樹脂により前面が開放されたボックス状に作られていて、家屋の垂直な壁面等に固定される。ベース３にはその前面開口を覆う合成樹脂製のカバー（図示しない）が着脱可能に嵌合して取付けられる。
【００２５】
ブレーカ取付け板５は、ベース３より小さくかつ短い金属板からなり、ベース３内にこのベース３の長手方向一端側に片寄って固定されている。このブレーカ取付け板５は、ベース３の内面に前向きに突設された図示しない複数の台部に支持されている。そのため、ブレーカ取付け板５の裏面とこれに対向したベース３の内面との間には、図４に示すように隙間Ｇが形成されている。
【００２６】
図２及び図４に示すようにブレーカ取付け板５には、第１の係止部６及び第２の係止部７が対をなして設けられている。対をなした第１の係止部６と第２の係止部７は複数組設けられていて、これらはブレーカ取付け板５の長手方向に沿って一定間隔で設けられている。なお、本実施形態では、複数組の第１の係止部６と第２の係止部７とが、ブレーカ取付け板５の幅方向中央部を境にその両側に夫々設けられているが、これは片側のみに設けてもよい。
【００２７】
第１の係止部６は、ブレーカ取付け板５の長手方向(図１では上下方向)に延びる側縁に寄せて設けられている。この第１の係止部６は、その根元６ａを支点として弾性変形可能となるように切起こされている。図４に示すように第１の係止部６の自由端部は、ブレーカ取付け板５の表面に対して略直角ないしは斜め(図示しない)となるように折れ曲がった係止端部６ｂをなしていて、この係止端部６ｂの先端は第１の係止部６が切起こされた跡からなる孔５ａに入っている。
【００２８】
第２の係止部７は、第１の係止部６に対して離間しブレーカ取付け板５の幅方向中央部に寄せて第１の係止部６と対称に設けられている。したがって、第２の係止部７も、その根元７ａを支点として弾性変形可能となるように切起こされている。これとともに、図４に示すように第２の係止部７の自由端部は、ブレーカ取付け板５の表面に対して略直角ないしは斜め(図示しない)となるように折れ曲がった係止端部７ｂをなしていて、この係止端部７ｂの先端も第２の係止部７が切起こされた跡からなる孔５ｂに入っている。
【００２９】
図２及び図４に示すようにブレーカ取付け板５は、その長手方向に延びる側縁に、第１の係止部６と第２の係止部７とがなした組の数と同数のストッパ５ｃを有している。これらのストッパ５ｃは第１の係止部６の係止端部６ｂに個別に対向して折り曲げ形成されている。
【００３０】
ブレーカ取付け板５は配線通し部８を複数有している。これらの配線通し部８は、第１の係止部６と第２の係止部７との間に位置して開口された孔からなる。なお、これら孔からなる配線通し部８は、本実施形態の場合、第１の係止部６と第２の係止部７とがなした組と同数である。しかし、ブレーカ取付け板５の強度上支障を生じない範囲であれば、配線通し部８を複数の前記組にわたるようにブレーカ取付け板５の長手方向に連続させて、前記組の数よりも少ない数の配線通し部８を設けることも可能である。
【００３１】
前記第１の係止部６、第２の係止部７、及び配線通し部８が設けられた領域から外れたブレーカ取付け板５の長手方向一端部の表面に、図１に示すように主幹ブレーカ１１が固定されている。この主幹ブレーカ１１の一次側端子部(図示しない)には、ベース３の内側に引き込まれる図示しない三相単線式の電源線が接続され、この電源線により100Ｖ/200Ｖの商用電源が供給されるようになっている。
【００３２】
図１に示すようにブレーカ取付け板５の表面に導電バー装置１５が固定されている。導電バー装置１５は、第２の係止部７群が並んだ方向に延びて、これら第２の係止部７群に沿って配置された分岐ブレーカ接続部１５ａ、及びこれと主幹ブレーカ１１の二次側端子部(図示しない)とにわたるカバー部１５ｂを備えている。
【００３３】
図４に示すように分岐ブレーカ接続部１５ａは、第１の導電バー１６〜第３の導電バー１８を有している。これら第１の導電バー１６〜第３の導電バー１８は、互いに電気的に絶縁されるように間隔を置いて重なるように配置されている。第２の導電バー１７と第３の導電バー１８との間に配置された第１の導電バー１６は中性極用、この第１の導電バー１６の一面に対向して図４において上側に配置された第２の導電バー１７は一方の電圧極用、第１の導電バー１６の他面に対向して図４において下側に配置された第３の導電バー１８は他方の電圧極用である。
【００３４】
カバー部１５ｂは、その内側に第１の導電バー１６〜第３の導電バー１８に個別に対応する電線又は導電板からなる導電部材（図示しない）を有している。これら導電部材を介して、主幹ブレーカ１１の二次側端子部と第１の導電バー１６〜第３の導電バー１８が個別にかつ電気的に接続されている。
【００３５】
各分岐ブレーカ２１は、第１の導電バー１６〜第３の導電バー１８を有した分岐ブレーカ接続部１５ａに沿って並べられてブレーカ取付け板５の表面上に着脱可能に取付けられている。ブレーカ取付け板５、及びこの上に配置された主幹ブレーカ１１、導電バー装置１５、及び各分岐ブレーカ２１は、ブレーカユニットを形成している。
【００３６】
ブレーカ取付け板５に取付けられた各分岐ブレーカ２１は、第１の導電バー１６〜第３の導電バー１８の内の二つに電気的に接続される。
【００３７】
このために、図２及び図４に示すように分岐ブレーカ２１が備える幅が狭い薄型の筐体２１ａの端部に三つの溝２２が形成され、これら溝２２の内の二つに図示しない接続端子が配置されている。負荷側が100Ｖ配線の場合、図２及び図４において中間の高さ位置の溝２２に一つの接続端子が配置されるとともに、図２及び図４において最も上位置又は下位置の溝２２に他の一つの接続端子が配置されて、これらが第１の導電バー１６と第２の導電バー１７又は第３の導電バー１８に接続される。これにより100Ｖ配線を得ることができるようになっている。又、負荷側が200Ｖ配線の場合、図２及び図４において最も上位置の溝２２及び最も下位置の溝２２に夫々接続端子が配置されて、これらが第２の導電バー１７と第３の導電バー１８に接続されることにより200Ｖ配線を得ることができるようになっている。
【００３８】
筐体２１ａはその裏面部に、凹部２３と、この凹部２３の一端を画する第１の係合部２４と、凹部２３の他端を画する第２の係合部２５を有している。第１の係合部２４は前記第１の係止部６の係止端部６ｂに係脱可能であり、第２の係合部２５は前記第２の係止部７の係止端部７ｂに係脱可能である。
【００３９】
図４に示すように第１の係合部２４と係止端部６ｂが係合されるとともに、第２の係合部２５と係止端部７ｂが係合されることによって、各分岐ブレーカ２１がブレーカ取付け板５上に取付けられる。本実施形態では、図１に示すように１０個の分岐ブレーカは５個ずつの二群に分けて分岐ブレーカ接続部１５ａの両側に取付けられている。ブレーカ取付け板５に取付けられた分岐ブレーカ２１の凹部２３は、ブレーカ取付け板５の配線通し部８に対向される。各分岐ブレーカ２１がブレーカ取付け板５に対して着脱される場合、第１の係止部６及び第２の係止部７は、一旦、孔５ａ又は孔５ｂに没する方向に弾性変形されてから第２の係合部２５又は係止端部７ｂに係合する位置に復元される。
【００４０】
なお、図２中符号２６は溝２２が形成された筐体２１ａの端部に対し反対側位置の筐体２１ａの端部に取付けられたロック体を示している。このロック体２６は、分岐ブレーカ２１がブレーカ取付け板５上に取付けられた状態で、押下げ操作されてストッパ５ｃに係止され、それによって、分岐ブレーカ２１が所定の取付け位置に保持される。そのため、分岐ブレーカ２１をブレーカ取付け板５から外す際には、ロック体２６が引き上げ操作されてストッパ５ｃから外されるようになっている。
【００４１】
分岐ブレーカ２１の筐体２１ａに過電流を遮断する回路遮断装置(図示しない)が内装されている。図２に示すようにロック体２６が取付けられた筐体２１ａの端部に、負荷電線接続部２７が設けられているとともに、解除レバー２８が取付けられている。負荷電線接続部２７は図２においてロック体２６の上側に設けられていて、これには負荷側に配線される負荷電線（図示しない）が挿入して接続される。解除レバー２８は図２において負荷電線接続部２７の上側に設けられていて、これを回動させて図４中二点鎖線で示す解除位置に配置することにより負荷電線接続部２７への負荷電線の挿脱が可能となっている。なお、図２中矢印は負荷電線が挿脱される方向を示しているとともに、図２及び図４中符号２９はブレーカハンドルを示している。
【００４２】
各分岐ブレーカ２１の筐体２１ａの夫々に、ＣＴ（Current Transformer）と略称されている例えば貫通型の変流器３１が内蔵されている（図２及び図４参照）。この変流器３１の内蔵によって分岐ブレーカ２１が大形化することはない。変流器３１は分岐ブレーカ２１を経て負荷機器に供給される負荷電流を小電流として検知する。この変流器３１が有した一次導体は前記二つの接続端子のいずれかに接続され、この一次導体が貫通した二次巻線の両端（言い換えれば、変流器３１が有した一対の二次側端子）の夫々は、ブレーカ内配線３２を介して信号出力端をなす一対の端子板３３に接続されている。
【００４３】
一対の端子板３３は、図４に示すように筐体２１ａの底壁部に固定されていて、凹部２３内において筐体２１ａの裏側方向に露出している。これとともに、図２に示すように一対の端子板３３は、筐体２１ａの幅方向に並べられていて、凹部２３の長手方向に沿って延びている。しかし、これらの端子板３３は、図２の配置とは直角方向に配置して筐体２１ａの長手方向に並べて設けることも可能である。
【００４４】
図１に示すように電力計測器３５は、各分岐ブレーカ２１の並び方向の延長線上で、かつ、分岐ブレーカ２１群を境に主幹ブレーカ１１と反対側に位置してベース３に固定されている。電力計測器３５は各変流器３１の出力電流を計測する。電力計測器３５は、その上下方向中間部に、計測された出力電流の値を表示する電流値表示部３６を有しているとともに、この電流値表示部３６に対し上下両側の内の少なくとも一方、好ましくは上下両側の夫々に入力端子部３７，３８を有している。図１において下位置の入力端子部３７と同じく下位置の５個の分岐ブレーカ２１群とは略同じ高さ位置に配設されているとともに、これらより上位置の入力端子部３８と同じく下位置の５個の分岐ブレーカ２１群とは略同じ高さ位置に配設されている。
【００４５】
電力計測器３５の入力端子部３７，３８と各分岐ブレーカ２１の端子板３３を電気的に接続する配線手段４１は、既述のように複数の分岐ブレーカ２１がニ群に分かれているので、これに対応して二系統設けられている。これらの配線手段４１は、プリント配線基板４２と、複数の接触部４３と、複数の第１のコネクタ４４と、第２のコネクタ４５付きの複数の電線４６を備えている。
【００４６】
図２及び図３（Ａ）に示すようにプリント配線基板４２は、絶縁板の表面に銅箔からなる所定のパターン配線４２ａを複数設けてなる。パターン配線４２ａは一個の分岐ブレーカ２１に対して一対用意される。
【００４７】
接触部４３は各パターン配線４２ａの一端に個別に接続してプリント配線基板４２に固定されている。この接触部４３は例えば導電性の板ばねからなり、その一端は図３（Ｂ）及び図４等に示すようにパターン配線４２ａに重なって接続され、他端側ほどプリント配線基板４２から離れている。そのため、この接触部４３はプリント配線基板４２に近付く方向に弾性変形可能である。
【００４８】
なお、接触部４３は図５（Ａ）又は図５(Ｂ）に示すものでも良い。図５（Ａ）の接触部４３は、同図において上向きに凸となる円弧部の両端に平坦な接続端部を延出してなる導電性の板ばねからなり、その接続端部をパターン配線４２ａに接続してプリント配線基板４２に取付けられている。この接触部４３の円弧部は、上方から押されることにより下方に弾性変形可能である。
【００４９】
図５（Ｂ）の接触部４３は、同図において上下両端が開放されるとともに上端開口部が狭まっている筒からなるホルダ４３ａと、この内部に収容された導電性のばね４３ｂと、このばね４３ｂにより図５（Ｂ）において上向きに付勢されてホルダ４３ａに支持された導電性のボール４３ｃとから形成されている。ボール４３ｃはホルダ４３ａの狭められた前記開口部から抜けないように保持されているとともに、このボール４３ｃの上部が前記開口部より突出されている。ボール４３ｃは上方から押されることによりばね４３ｂの弾性変形を伴ってプリント配線基板４２に向けて移動可能である。ばね４３ｂはパターン配線４２ａに接触しており、このばね４３ｂを介してパターン配線４２ａとボール４３ｃとが電気的に接続されている。
【００５０】
複数の第１のコネクタ４４は、雌型の電気コネクタであって、各パターン配線４２ａの他端に個別に接続されているとともに、図３（Ａ）に示すようにプリント配線基板４２の縁に沿って並べて固定されている。複数の第１のコネクタ４４は、個々に分かれていてもよいが、一体に連続して単一の雄側コネクタ装置とすることが第２のコネクタ４５との接続をワンタッチでできる点で好ましい。
【００５１】
第２のコネクタ４５は、第１のコネクタ４４に着脱可能に差込み接続される雄型の電気コネクタであって、絶縁被覆された電線４６の一端に夫々接続されている。これら第２のコネクタ４５も一体に連続して単一の雄側コネクタ装置とすることが好ましい。複数の電線４６は二群に分けられていて、それらの他端は、電力計測器３５の入力端子部３７又は３８のいずれかに差込み接続される。
【００５２】
これら電線４６の配線において、本実施形態では既述のように配線手段４１が二系統に別れているとともに、これらの系統に個別に対応する高さ位置に入力端子部３７，３８を有した電力計測器３５が、各分岐ブレーカ２１の並び方向延長線上に配設されていて、対応する高さ位置の入力端子部３７，３８に電線４６が図１に示すように分けて差込み接続されている。このように電線４６の配線が系統ごとに分けて行われることで、電力計測器３５の上部又は下部に全ての入力端子部を集めた場合に比較して、配線作業が容易で、かつ、接続間違いが起きる可能性も減るとともに、電線４６の長さを短くできる点で好ましい。
【００５３】
図３（Ａ）に示すように分岐ブレーカ接続部１５ａの両側に配置される一対のプリント配線基板４２はブレーカ取付け板５の裏側、つまり、図４に示すように前記隙間Ｇに配設されている。これらプリント配線基板４２の第１のコネクタ４４が取付けられた方の端部は、図１に示すようにブレーカ取付け板５に覆われることなく電力計測器３５側に突出されている。プリント配線基板４２はベース３に設けた基板取付け部（図示しない）又はブレーカ取付け板５の裏面に固定される。なお、プリント配線基板４２は電線４６の配線に先行して予め隙間Ｇに配設されており、分電盤１の施工現場において電線４６が後付け配線されるようになっている。
【００５４】
このように配線手段４１のプリント配線基板４２が隙間Ｇに配設されることによって、その接触部４３の夫々が、これらに対応してブレーカ取付け板５に設けられた前記配線通し部８に通されている（図４参照）。これらの接触部４３は、ブレーカ取付け板５に分岐ブレーカ２１が取付けられていない状態では自由状態にあり、ブレーカ取付け板５に分岐ブレーカ２１が取付けられた状態では、分岐ブレーカ２１の端子板３３により弾性変形されて、この端子板３３に弾性的に接触した状態に保持される。
【００５５】
したがって、分岐ブレーカ２１に内蔵された変流器３１によって検知されてブレーカ内配線３２を通って端子板３３に供給された電流は、接触部４３からパターン配線４２ａを流れて第１のコネクタ４４に至り、更に、この第１のコネクタ４４に接続された第２のコネクタ４５を有した電線４６を通じて電力計測器３５に供給されるので、この電力計測器３５において電流の値が測定されて、それが電流値表示部３６に表示される。
【００５６】
以上説明した分電盤１は、変流器３１が内蔵された複数の分岐ブレーカ２１を備えているとともに、電力計測器３５を備えている。そのため、この分電盤１では、分岐ブレーカ２１を経て負荷機器に供給される負荷電流(一次電流)を、変流器３１で小電流（一次電流より値が小さい二次電流）に変換し、こうして検知された電流の値を電力計測器３５が計測するので、各分岐ブレーカ２１を流れる電流の値を知ることができる。
【００５７】
又、この分電盤１において、各分岐ブレーカ２１の負荷電線接続部２７に接続された負荷電線（図示しない）は、分岐ブレーカ２１が取付けられているブレーカ取付け板５の表側に位置して引き回し配線される。一方で、各分岐ブレーカ２１の端子板３３と電力計測器３５とを電気的に接続する配線手段４１は、ブレーカ取付け板５の裏側でベース３との間に形成された隙間Ｇを通って引き回し配線されている。
【００５８】
このように配線手段４１の一部、つまり、ブレーカ取付け板５に臨んだ配線部位と、負荷電線とが、ブレーカ取付け板５の表側と裏側とに分けて配線されていて、並んで設けられている各分岐ブレーカ２１の上を配線手段４１が横切って配線されることがないので、負荷電線と配線手段４１が直接重なって乱雑に配線されることがない。
【００５９】
そのため、分電盤１内が見苦しくならない。それだけではなく、これら負荷電線と配線手段４１の接続間違いを起こす可能性が低くなる。これとともに、負荷電線を流れる大電流を原因として配線手段４１を通じて電力計測器３５に至る電流にノイズが重畳しないようになるので、電力計測器３５で電流値を正確に計測できる。
【００６０】
そして、変流器３１に電気的に接続された配線手段４１が、既述のように並んで設けられている各分岐ブレーカ２１の上を横切って配線されていないので、複数の分岐ブレーカ２１の中で故障した分岐ブレーカ２１を交換する必要が生じた場合、分岐ブレーカ２１を交換する上で配線手段４１が邪魔にならない。これにより、配線手段４１が邪魔にならないように外す手間を要することなく分岐ブレーカ２１を容易に交換することができる。
【００６１】
しかも、各分岐ブレーカ２１の真裏でブレーカ取付け板５の配線通し部８に配線手段４１の一部である接触部４３を通して、この接触部４３と、分岐ブレーカ２１に内蔵された変流器３１に電気的に接続された端子板３３との電気的接続がなされている。これにより、配線手段４１が分岐ブレーカ２１の筐体２１ａの側方に配線されることがない。したがって、隣接する分岐ブレーカ２１間に配線手段４１が配置されるスペースを要しないので、複数の分岐ブレーカ２１をコンパクトに並べて配設できるとともに、分電盤１が大形にならないようにできる。その上、配線手段４１の接触部４３をブレーカ取付け板５の配線通し部８に通したことで、ブレーカ取付け板５の周縁を回り込むように配線手段４１を引き回してブレーカ取付け板５の裏側に配線することも要さないので、配線手段４１を容易に配線できる。
【００６２】
更に、ブレーカ取付け板５に着脱可能な分岐ブレーカ２１を、ブレーカ取付け板５に取付けるに伴い、その裏面部に設けた端子板３３に配線手段４１の接触部４３が弾性的に接触して、端子板３３と配線手段４１とが電気的に接続される。この逆に、分岐ブレーカ２１をブレーカ取付け板５から外すに伴い、分岐ブレーカ２１の端子板３３が配線手段４１の接触部４３から離れて、これらの電気的接続が断たれる。したがって、分岐ブレーカ２１を交換する際に、分岐ブレーカ２１と配線手段４１との接続及びこの接続を解除する手間を要することなく分岐ブレーカ２１を着脱できるので、分岐ブレーカ２１の交換をより容易にできる。
【００６３】
又、配線手段４１は、ブレーカ取付け板５の裏側に配置されたプリント配線基板４２を備えている。このため、ブレーカ取付け板５の裏側に配線手段４１を配線する際に、配線手段４１が複数本の電線からなる場合のように電線を一本一本配線する手間がないとともに、配線間違いを起こす可能性が低減され、更に、ブレーカ取付け板５の裏側での配線を一度にできるので、ブレーカ取付け板５の裏側に配線手段４１を容易に配線できる。
【００６４】
その上、プリント配線基板４２には第１のコネクタ４４が装着され、電力計測器３５に接続された電線４６は第２のコネクタ４５を有していて、これら第１のコネクタ４４と第２のコネクタ４５とは接続できる。そのため、第１のコネクタ４４と第２のコネクタ４５とを接続することで、プリント配線基板４２と電力計測器３５とを電気的接続に接続したので、これらの接続を、半田付けやねじ止め等の面倒な手間を要することなく、簡単に行うことができる。
【図面の簡単な説明】
【００６５】
【図１】本発明の一実施形態に係る分電盤をそのカバーを除いた状態で示す正面図。
【図２】図１の分電盤の一部を分解して示す斜視図。
【図３】（Ａ）は図１の分電盤の配線手段の一部を示す正面図。（Ｂ）は図３(Ａ)中のＦ３Ｂ−Ｆ３Ｂ線に沿って示す断面図。
【図４】図１の分電盤の一部を示す断面図。
【図５】（Ａ）（Ｂ）は図１の分電盤が備えた配線手段に使用可能な夫々異なる接触部を示す断面図。
【符号の説明】
【００６６】
１…分電盤、３…ベース、５…ブレーカ取付け板、Ｇ…隙間、８…配線通し部、１１…主幹ブレーカ、１５…導電バー装置、１５ａ…分岐ブレーカ接続部、１６〜１８…導電バー、２１…分岐ブレーカ、２１ａ…筐体、２７…負荷電線接続部、３１…変流器、３３…端子板(信号出力端)、３５…電力計測器、４１…配線手段
【図１】
2009207237.tif 000003
【図２】
2009207237.tif 000004
【図３】
2009207237.tif 000005
【図４】
2009207237.tif 000006
【図５】
2009207237.tif 000007